(57)【要約】【課題】フォーカスが移動した選択対象情報の位置を容易に発見可能とする。【解決手段】情報を表示する表示部にコンテンツを表示する第１の表示制御手段７１と、前記コンテンツ内に存在する選択対象情報を選択して枠をフォーカス表示するための方向キーの操作に応じて次にフォーカス表示する選択対象情報の枠を検出する検出手段７４と、前記方向キーの操作に基づき現在フォーカス表示されている移動元枠から前記検出手段７４により検出された移動先枠へフォーカス表示を変更して表示する第２の表示制御手段７２と、前記第２の表示手段７２によりフォーカス表示の変更がされる場合に、前記移動元枠の位置情報と前記移動先枠の位置情報に基づき移動軌跡を表示する第３の表示制御手段７３とを具備する。【選択図】図１
2015197893.tif 000002
【特許請求の範囲】
【請求項１】
情報を表示する表示部にコンテンツを表示する第１の表示制御手段と、
前記コンテンツ内に存在する選択対象情報を選択して枠をフォーカス表示するための方向キーの操作に応じて次にフォーカス表示する選択対象情報の枠を検出する検出手段と、
前記方向キーの操作に基づき現在フォーカス表示されている移動元枠から前記検出手段により検出された移動先枠へフォーカス表示を変更して表示する第２の表示制御手段と、
前記第２の表示手段によりフォーカス表示の変更がされる場合に、前記移動元枠の位置情報と前記移動先枠の位置情報に基づき移動軌跡を表示する第３の表示制御手段と
を具備することを特徴とする表示制御装置。
【請求項２】
第３の表示制御手段は、前記移動元枠と前記移動先枠を結ぶ線分に基づき移動軌跡の形状を作成することを特徴とする請求項１に記載の表示制御装置。
【請求項３】
第３の表示制御手段は、移動軌跡上の色及びまたは輝度・濃度を順次変化させて表示することを特徴とする請求項１または２に記載の表示制御装置。
【請求項４】
順次変化の時間を変更する移動時間変更手段が備えられていることを特徴とする請求項３に記載の表示制御装置。
【請求項５】
表示部はテレビの画面であり、方向キーはテレビリモコンに設けられたものであることを特徴とする請求項１乃至４のいずれか１項に記載の表示制御装置。
【請求項６】
コンピュータにより表示部に表示を行う表示制御装置の前記コンピュータを、
情報を表示する表示部にコンテンツを表示する第１の表示制御手段、
前記コンテンツ内に存在する選択対象情報を選択して枠をフォーカス表示するための方向キーの操作に応じて次にフォーカス表示する選択対象情報の枠を検出する検出手段、
前記方向キーの操作に基づき現在フォーカス表示されている移動元枠から前記検出手段により検出された移動先枠へフォーカス表示を変更して表示する第２の表示制御手段、
前記第２の表示手段によりフォーカス表示の変更がされる場合に、前記移動元枠の位置情報と前記移動先枠の位置情報に基づき移動軌跡を表示する第３の表示制御手段
として機能させることを特徴とする表示制御用プログラム。
【請求項７】
第３の表示制御手段は、前記移動元枠と前記移動先枠を結ぶ線分に基づき移動軌跡の形状を作成することを特徴とする請求項６に記載の表示制御用プログラム。
【請求項８】
第３の表示制御手段は、移動軌跡上の色及びまたは輝度を順次変化させて表示することを特徴とする請求項６または７に記載の表示制御用プログラム。
【請求項９】
コンピュータを、順次変化の時間を変更する移動時間変更手段として機能させることを特徴とする請求項８に記載の表示制御用プログラム。
【発明の詳細な説明】
【技術分野】
【０００１】
この発明は情報を表示する表示部にウェブページなどのコンテンツを表示することが可能な表示制御装置及びその際に用いることのできる表示制御用プログラムに関するものである。
【背景技術】
【０００２】
近年、テレビの多機能化などにより、テレビにウェブページなどのコンテンツを表示することが可能となっている。このようなテレビにおいては、テレビリモコンを操作してウェブページを表示し、例えばポータルサイトからリンク先の所望のウェブページを閲覧するなどの処理が行われる。
【０００３】
一般的には、特許文献１に記載のように、テレビのリモコンの４つの方向を指示する十字キーなどと称される操作キーを操作して、フォーカスを現在の選択対象情報から次の選択対象情報へ移動させることができる。
【０００４】
上記のものはフォーカスを所望の選択対象情報へ移動させるまでに操作キーを多くの回数操作しなければならない。そこで、特許文献２では、リモコンの数字キーを用いて少ない操作により所望の選択対象情報へ移動させる工夫がなされている。
【先行技術文献】
【特許文献】
【０００５】
【特許文献１】国際公開第９８／０１２８７１号パンフレット
【特許文献２】特開２００７−７４４６０号公報
【発明の概要】
【発明が解決しようとする課題】
【０００６】
しかしながら、いずれの場合においても、フォーカスが移動した選択対象情報の位置を瞬時に発見することは難しい。特に、ポータルサイトのように数多くのバナーやリンク先が混在している場合には、十字キーを連続操作すると、どこがフォーカスされているかを見つけるまでに時間を要するという問題があった。このような事情は、特にテレビに限らず、コンテンツを表示する表示装置において同様である。
【０００７】
本発明は上記のような表示制御装置が有している問題点に鑑みてなされたもので、その目的は、フォーカスが移動した選択対象情報の位置を容易に発見することが可能な表示制御装置及び表示制御用プログラムを提供することである。
【課題を解決するための手段】
【０００８】
本発明に係る表示制御装置は、情報を表示する表示部にコンテンツを表示する第１の表示制御手段と、前記コンテンツ内に存在する選択対象情報を選択して枠をフォーカス表示するための方向キーの操作に応じて次にフォーカス表示する選択対象情報の枠を検出する検出手段と、前記方向キーの操作に基づき現在フォーカス表示されている移動元枠から前記検出手段により検出された移動先枠へフォーカス表示を変更して表示する第２の表示制御手段と、前記第２の表示手段によりフォーカス表示の変更がされる場合に、前記移動元枠の位置情報と前記移動先枠の位置情報に基づき移動軌跡を表示する第３の表示制御手段とを具備することを特徴とする。
【０００９】
本発明に係る表示制御装置では、第３の表示制御手段は、前記移動元枠と前記移動先枠を結ぶ線分に基づき移動軌跡の形状を作成することを特徴とする。
【００１０】
本発明に係る表示制御装置では、第３の表示制御手段は、移動軌跡上の色及びまたは輝度を順次変化させて表示することを特徴とする。
【００１１】
本発明に係る表示制御装置では、順次変化の時間を変更する移動時間変更手段が備えられていることを特徴とする。
【００１２】
本発明に係るテレビ表示制御装置では、表示部はテレビの画面であり、方向キーはテレビリモコンに設けられたものであることを特徴とする。
【００１３】
本発明に係る表示制御プログラムは、コンピュータにより表示部に表示を行う表示制御装置の前記コンピュータを、情報を表示する表示部にコンテンツを表示する第１の表示制御手段、前記コンテンツ内に存在する選択対象情報を選択して枠をフォーカス表示するための方向キーの操作に応じて次にフォーカス表示する選択対象情報の枠を検出する検出手段、前記方向キーの操作に基づき現在フォーカス表示されている移動元枠から前記検出手段により検出された移動先枠へフォーカス表示を変更して表示する第２の表示制御手段、前記第２の表示手段によりフォーカス表示の変更がされる場合に、前記移動元枠の位置情報と前記移動先枠の位置情報に基づき移動軌跡を表示する第３の表示制御手段として機能させることを特徴とする。
【００１４】
本発明に係る表示制御プログラムでは、第３の表示制御手段は、前記移動元枠と前記移動先枠を結ぶ線分に基づき移動軌跡の形状を作成することを特徴とする。
【００１５】
本発明に係る表示制御プログラムでは、第３の表示制御手段は、移動軌跡上の色及びまたは輝度を順次変化させて表示することを特徴とする。
【００１６】
本発明に係る表示制御プログラムでは、コンピュータを、順次変化の時間を変更する移動時間変更手段として機能させることを特徴とする。
【発明の効果】
【００１７】
本発明によれば、方向キーの操作に基づき現在フォーカス表示されている移動元枠から前記検出手段により検出された移動先枠へフォーカス表示を変更して表示すると共に、フォーカス表示の変更がされる場合に、前記移動元枠の位置情報と前記移動先枠の位置情報に基づき移動軌跡を表示するので、移動軌跡に沿って移動先枠を追いかけることができ、フォーカスが移動した選択対象情報の位置を容易に発見することが可能となる。
【図面の簡単な説明】
【００１８】
【図１】本発明の表示制御装置の第１の実施形態の構成を示すブロック図。
【図２】本発明の表示制御装置の第１の実施形態の要部構成を示すブロック図。
【図３】本発明の表示制御装置の実施形態の動作を説明するためのフローチャート。
【図４】本発明の表示制御装置の実施形態により作成される移動軌跡の例を示す図。
【図５】本発明の表示制御装置の実施形態により作成される移動軌跡の例を示す図。
【図６】本発明の表示制御装置の実施形態により表示される移動軌跡の例を示す図。
【図７】本発明の表示制御装置の実施形態により表示される移動軌跡の例を示す図。
【図８】本発明の表示制御装置の実施形態により作成される移動軌跡の例を示す図。
【図９】本発明の表示制御装置の第２の実施形態の構成を示すブロック図。
【発明を実施するための形態】
【００１９】
以下添付図面を参照して本発明に係る表示制御装置及び表示制御用プログラムの実施形態を説明する。各図において同一の構成要素には同一の符号を付し、重複する説明を省略する。第１の実施形態に係る表示制御装置は、テレビ１０と、このテレビ１０に外付けされるコンピュータであるＨＤＭＩドングル２０により構成される。
【００２０】
ＨＤＭＩドングル２０は、テレビ１０のＨＤＭＩ端子に接続され、映像データをテレビ１０へ供給するものであり、図２に示すように構成することができる。ＨＤＭＩドングル２０は、プロセッサ２１に、ｅＭＭＣ（embedded Multi Media Card）により構成することができる外部記憶装置２２１とＤＤＲ(Double-Data-Rate Synchronous Dynamic Random Access Memory) ３により構成することができる主記憶装置２２２とを有する記憶装置２２が接続されており、プロセッサ２１が記憶装置２２に記憶されたプログラムを用いて処理を行うコンピュータの構成を採用している。
【００２１】
プロセッサ２１には、通信インタフェース２３と、ＨＤＭＩインタフェース２４、ＰＭＩＣ（パワーマネージメントＩＣ）２５が接続されている。通信インタフェース２３は、Ｗｉ−Ｆｉ（登録商標）などによる無線ＬＡＮインタフェース及びBluetooth （登録商標）通信のためのインタフェースである。図１においては通信インタフェース２３が図示されず、制御部２１Ａから直接にネットワーク３０に接続されているが、実際には通信インタフェース２３を介してネットワーク３０に接続されている。また、ネットワーク３０には、ウェブページを提供する複数のサーバ４０が接続されている。ＨＤＭＩインタフェース２４は、ＨＤＭＩケーブルによってテレビ１０のＨＤＭＩ端子に接続される。パワーマネージメントＩＣ２５は、ＵＳＢベースとＡＣアダプタ・ベースのどちらからもバッテリ充電が可能となっており、バッテリ充電と電力供給を行う。
【００２２】
図１には、上記図２のＨＤＭＩドングル２０の構成中のプロセッサ２１と記憶装置２２を、制御部２１Ａ、記憶部２２Ａとして示している。制御部２１Ａには、第１の表示制御手段７１、第２の表示制御手段７２、第２の表示制御手段７３、検出手段７４、移動時間変更手段７５が備えられている。第１の表示制御手段７１は、テレビ画面にコンテンツであるウェブページを表示するものである。
【００２３】
また、検出手段７４は、上記ウェブページ（コンテンツ）内に存在する選択対象情報を選択して枠をフォーカス表示するための方向キーの操作に応じて次にフォーカス表示する選択対象情報の枠を検出する。ここで、方向キーは次にフォーカス表示する選択対象情報の枠を指示するためキーであり、上下左右の方向を指示することができる。この方向キーは、テレビリモコン８０に設けられている所謂十字キー８１により構成することができる。また、選択対象情報とは、アンカータグなどのようにリンク先を指定する情報を持ったタグなどを指すものとする。
【００２４】
第２の表示制御手段７２は、上記方向キーの操作に基づき現在フォーカス表示されている移動元枠から上記検出手段７４により検出された移動先枠へフォーカス表示を変更して表示するものである。第３の表示制御手段７３は、上記第２の表示制御手段７２によりフォーカス表示の変更がされる場合に、上記移動元枠の位置情報と上記移動先枠の位置情報に基づき移動軌跡を表示するものである。移動時間変更手段７５は、順次変化の時間を変更するものである。上記各手段は、プロセッサ２１が記憶装置２２のプログラム（ウェブブラウザ）を実行することにより実現することができる。
【００２５】
テレビ１０の要部構成として、制御部１１、入力切換部１２、映像表示部１３及び受信部１４が示されている。映像表示部１３は、入力切換部１２を介して到来する映像データ（映像信号）を用いて画面に映像を表示する。入力切換部１２は、映像データの入力を切り換えるもので、ここではＨＤＭＩドングル２０とアンテナとの切換えを示すが、これ以外の入力について選択するものであっても良い。
【００２６】
制御部１１は、上記入力切換部１２の切換制御を行うと共に、ＨＤＭＩ−ＣＥＣによりＨＤＭＩドングル２０と接続するインタフェース機能を含むものとする。この実施形態では、テレビリモコン８０の操作により送られる信号をＨＤＭＩ−ＣＥＣによるデータとして送信する。制御部１１は、ＨＤＭＩドングル２０からＨＤＭＩ−ＣＥＣの入力切換のコマンドを受けると、入力切換部１２を制御してＨＤＭＩドングル２０から送られる映像データが選択されて映像表示部１３にて表示が行われるように動作する。
【００２７】
以上のような構成を備える表示システムでは、記憶部２２Ａに、映像表示装置であるテレビ１０に表示すべき映像データを格納しておくことができる。この実施形態では、図３に示されるフローチャートに示すように、制御部２１Ａによるフォーカス表示の処理動作が行われる。
【００２８】
制御部１１は、電源オンの後にテレビリモコン８０による所定ウェブページの表示要求を受けてＨＤＭＩドングル２０へ所定ウェブページの表示要求を送る。これに応えてＨＤＭＩドングル２０からＨＤＭＩ−ＣＥＣの入力切換のコマンドを受けると、制御部１１は、ＨＤＭＩドングル２０から送られる映像データが選択されて映像表示部１３にて表示されるように入力切換部１２を切り換える。
【００２９】
上記所定ウェブページの表示要求を受けた制御部２１Ａは図３のフローチャートのプログラムをスタートさせて、所定処理により設定されたウェブページへアクセスして、ＨＴＭＬなどにより構成される映像データを得てテレビ１０へ送って表示する（Ｓ１１）。このウェブページのＵＲＬは、テレビリモコン８０によって入力されたものでもよく、また、ＨＤＭＩドングル２０に予め設定しておくことができる。
【００３０】
次に制御部２１Ａは十字キー８１の操作がなされたかを監視しており（Ｓ１２）、十字キー８１の操作を検出すると、次にフォーカス表示する選択対象情報の枠を検出する（Ｓ１３）。例えば、十字キー８１の操作に対応して次のように検出を行う。十字キー８１の上下方向を示すキー操作により現在のフォーカス表示されている枠から上側または下側に存在する選択対象情報の内、最も真下或いは真上に近い枠を検出する。また、十字キー８１の左右方向を示すキー操作により現在のフォーカス表示されている枠から真っ直ぐ左側または真っ直ぐ右側に存在する選択対象情報の内、最も近い枠を検出する。真っ直ぐ左側または真っ直ぐ右側に選択対象情報が存在しなければ、次の行について検出を行う。
【００３１】
次に、現在フォーカス表示されている移動元枠の位置情報と形状情報、また、上記で検出された移動先枠の位置情報と形状情報を用いて、移動軌跡を作成する（Ｓ１４）。例えば、図４に示すように上下に四角枠が存在する場合には、移動元枠４１の四つの角と、移動先枠４２の四つの角とを結び、その４線分に沿って移動元枠４１の矩形が移動先枠４２の矩形へと変化するように、矩形を移動軌跡４３の形状とすることができる。また、図５に示すように左右に四角枠が存在する場合には、移動元枠４４の各角と、移動先枠４５の各角とを結ぶ線分によって決まる矩形を移動軌跡４６の形状とし、これを連続移動することができる。なお、枠や移動軌跡の形状は、矩形以外に円や多角形などであってもよく、制限はない。
【００３２】
次に、上記移動軌跡を表示し、続いて移動先枠をフォーカス表示し、移動元枠のフォーカス表示を停止する（Ｓ１５）。図６は、移動先が２か所ある例である。この場合には、一つの移動先枠５２には、移動元枠５１と移動先枠５２の間でフォーカス表示を移動するので、移動軌跡５３を表示し、二つ目の移動先枠５４には、移動元枠５２と移動先枠５４の間でフォーカス表示を移動するので、移動軌跡５５を表示することができる。また、図７のように、移動元枠５６に対し一部が重なる複数（ここでは、二つ）の移動先枠５７、５８へフォーカス表示を移動することも起こり得る。この場合には、重なる移動軌跡５９Ａ、５９Ｂを表示することができる。このように、複数の移動先枠が生じる理由は、選択対象情報においてＨＴＭＬによる改行などが存在し、複数のリンク先を有するなどの場合があり、また、選択対象情報内に複数の要素が存在し、複数の枠となる場合があるからである。
【００３３】
ステップＳ１５における移動軌跡の表示にあっては、第３の表示制御手段７３は、移動軌跡上の色及びまたは輝度・濃度を順次変化させて表示することができる。つまり、移動元枠側から移動先枠方向へ順次に色を変更し、及びまたは輝度・濃度を順次変化（移動元枠側の輝度・濃度を明るく）するなどにより、移動先枠がどの方向にあるかを指し示すことができる。
【００３４】
また、移動軌跡を多数の図形により構成すると共に、移動元枠側から移動先枠方向へ連続する表示以外に、不連続で順次に表示することもできる。具体的には、図８に示すように移動元枠４７から移動先枠４８へ向かって、矩形の移動軌跡４９Ａ、４９Ｂ、４９Ｃ（３つは一例である）を作成し、時間経過と共に４９Ａ→４９Ｂ→４９Ｃと不連続表示することができる。これによっても移動先枠がどの方向にあるかを指し示すことができる。
【００３５】
制御部２１Ａの移動時間変更手段７５は、順次変化の時間を変更するものである。例えば、テレビリモコン８０の所定操作によって、順次変化の時間の変更モードとし、例えば、予め設定した数段階の時間のいずれかを選択し、或いは連続する時間をバーで表示し、バーの長さを変更して設定することができてもよい。これによって、操作者の能力に合わせて順次変化の時間を設定することができる。また、この設定時間に対応して或いは別の設定によりフォーカス表示を移動する時間を切り換えてもよい。
【００３６】
図９には、第２の実施形態に係るテレビ表示制御装置としてのテレビ１０Ａの構成を示す。このテレビ１０Ａは、図１のテレビ１０に、ＨＤＭＩドングル２０により構成されていた制御部２１Ａ、記憶部２２Ａを内蔵したものである。これ以外に、ネットワーク３０と接続するための通信インタフェース３１を備えている。
【００３７】
この構成においては、制御部１１は、電源オンの後にテレビリモコン８０による所定ウェブページの表示要求を受けて制御部２１Ａへ所定ウェブページの表示要求を送る。上記所定ウェブページの表示要求を受けた制御部２１Ａは、図３のフローチャートのプログラムをスタートさせて、所定処理により設定されたウェブページへアクセスして、ＨＴＭＬなどにより構成される映像データを得て制御部１１へ送る。
【００３８】
制御部１１は、制御部２１Ａから送られる映像データが選択されて映像表示部１３にて表示されるように入力切換部１２を切り換えており、ウェブページが映像表示部１３に表示される。この実施形態においても、制御部２１Ａに備えられている、第１の表示制御手段７１、第２の表示制御手段７２、第２の表示制御手段７３、検出手段７４、移動時間変更手段７５が上述の如く動作し、ウェブページの表示と、フォーカス表示、更には、移動軌跡の表示がなされる。この第２の実施形態においても、移動先枠がどの方向にあるかを指し示すことができ、選択対象情報の位置を容易に発見することを容易にする。
【００３９】
なお、上記の実施形態においては、表示部をテレビの画面とし、方向キーをテレビリモコンのものを用いて説明したが、これに限定されない。パソコンやタブレット端末などにおいて、方向キーを用いてフォーカス表示を移動させる場合などに本発明は適用可能であり、コンテンツとしては、ウェブページに限るものではない。
【符号の説明】
【００４０】
１０、１０Ａ  テレビ
１１  制御部
１２  入力切換部
１３  映像表示部
１４  受信部
２０  ドングル
２１  プロセッサ
２１Ａ  制御部
２２  記憶装置
２２Ａ  記憶部
２３  通信インタフェース
２４  インタフェース
３０  ネットワーク
３１  通信インタフェース
４０  サーバ
７１  第１の表示制御手段
７２  第２の表示制御手段
７３  第３の表示制御手段
７４  検出手段
７５  移動時間変更手段
８０  テレビリモコン
８１  十字キー
【図１】
2015197893.tif 000003
【図２】
2015197893.tif 000004
【図３】
2015197893.tif 000005
【図４】
2015197893.tif 000006
【図５】
2015197893.tif 000007
【図６】
2015197893.tif 000008
【図７】
2015197893.tif 000009
【図８】
2015197893.tif 000010
【図９】
2015197893.tif 000011